(57)【要約】【課題】  照明器具を勾配天井の上部に取り付けたとしても当該照明器具に対するメンテナンス作業の簡便化を図る。【解決手段】  照明構造は、勾配天井５２を有する第一室内３１と、第一室内３１に隣接し、なおかつ当該第一室内３１の直上階となる第二室内４１とを備えている。第二室内４１の床部４２は、第一室内４１の勾配天井５２の頂上部に近接し当該勾配天井５２とともにスリット６を形成する位置まで延在している。勾配天井５２におけるスリット６に近接する位置に照明器具７が配置されている。【選択図】図１
2014154311.tif 000002
【特許請求の範囲】
【請求項１】
勾配天井を有する第一室内と、
前記第一室内に隣接し、なおかつ当該第一室内の直上階となる第二室内とを備え、
前記第二室内の床部は、前記第一室内の前記勾配天井の頂上部に近接し当該勾配天井とともにスリットを形成する位置まで延在し、
前記勾配天井における前記スリットに近接する位置に照明器具が配置されていることを特徴とする照明構造。
【請求項２】
請求項１記載の照明構造において、
前記照明器具は、前記スリットの内部に配置されていることを特徴とする照明構造。
【請求項３】
請求項１又は２記載の照明構造において、
前記照明器具は、前記第一室内に向けて光を照射するとともに、前記第二室内に向けて光を照射することを特徴とする照明構造。
【請求項４】
請求項３記載の照明構造において、
前記照明器具は、前記光の照射方向を調整自在であることを特徴とする照明構造。
【請求項５】
請求項１〜４のいずれか一項に記載の照明構造において、
前記勾配天井における前記照明器具の直上位置には、外部に連通する換気口が設けられていることを特徴とする照明構造。
【発明の詳細な説明】
【技術分野】
【０００１】
本発明は、照明構造に関する。
【背景技術】
【０００２】
従来より、勾配天井を備えた住宅においては、勾配天井に直接照明器具を設置した住宅が知られている（例えば特許文献１参照）。
【先行技術文献】
【特許文献】
【０００３】
【特許文献１】特開２０００−１４９６０９号公報
【発明の概要】
【発明が解決しようとする課題】
【０００４】
ここで、勾配天井に対して照明器具を取り付けると、照明器具からの光の一部は勾配天井を照射することになる。照明器具から近い部分が最も明るく、遠ざかるほど徐々に暗くなるグラデーションのようなコントラストが勾配天井に現れる。高位の部分が最も明るくそこから徐々に暗くなっていけば、目の錯覚により一層天井の高さを高く印象付けることができるため、照明器具の設置箇所は勾配天井の上部に設置することが望まれる。
しかしながら、照明器具が勾配天井の上部に取り付けられていると、交換や修理などのメンテナンス時においては脚立や椅子などに乗って作業者が作業する必要となり、作業者の体勢的にも負担を強いられるのが実状である。
このため、本発明の課題は、照明器具を勾配天井の上部に取り付けたとしても当該照明器具に対するメンテナンス作業の簡便化を図ることである。
【課題を解決するための手段】
【０００５】
請求項１記載の発明は、例えば図１に示すように、
勾配天井５２を有する第一室内３１と、
前記第一室内３１に隣接し、なおかつ当該第一室内３１の直上階となる第二室内４１とを備え、
前記第二室内４１の床部４２は、前記第一室内４１の前記勾配天井５２の頂上部に近接し当該勾配天井５２とともにスリット６を形成する位置まで延在し、
前記勾配天井５２における前記スリット６に近接する位置に照明器具７が配置されていることを特徴としている。
【０００６】
請求項１記載の発明によれば、第一室内３１に隣接し、なおかつ第一室内３１の直上階となる第二室内４１の床部４２と勾配天井５２とにより形成されたスリット６は、第一室内３１から見ると勾配天井５２の頂上部付近となる。勾配天井５２におけるスリット６に近接する位置に照明器具７が配置されているため、第一室内３１から見ると勾配天井５２の上部に照明器具７が配置されることになる。
一方、第二室内４１側から見ると、照明器具７は床部４２に近接した位置に配置されている。このため、第二室内４１側から照明器具７のメンテナンス作業を行うことが可能となり、メンテナンス作業の簡便化を図ることができる。
【０００７】
請求項２記載の発明は、請求項１記載の照明構造において、例えば図１に示すように、
前記照明器具７は、前記スリット６の内部に配置されていることを特徴としている。
【０００８】
請求項２記載の発明によれば、照明器具７がスリット６の内部に配置されているので、第一室内３１側から照明器具７自体を視認しにくくすることができ、視認による光源の特定を困難なものとすることができる。そして、照明器具７の光の色を太陽光と同等にしておけば、太陽光による照明、例えば木漏れ日のような印象をあたえることができる。
【０００９】
請求項３記載の発明は、請求項１又は２記載の照明構造において、例えば図２に示すように、
前記照明器具７は、前記第一室内３１に向けて光を照射するとともに、前記第二室内４１に向けて光を照射することを特徴としている。
【００１０】
請求項３記載の発明によれば、照明器具７が第一室内３１及び第二室内４１に対して光を照射しているので、１つの照明器具７で第一室内３１及び第二室内４１の照明を可能としている。したがって照明器具７の設置個数を抑制することができる。
【００１１】
請求項４記載の発明は、請求項３記載の照明構造において、例えば図２に示すように、
前記照明器具７は、前記光の照射方向を調整自在であることを特徴としている。
【００１２】
請求項４記載の発明によれば、照明器具７の光の照射方向が調整自在であるので、勾配天井５２に映し出される光のコントラストを調整することができ、様々な雰囲気を演出することが可能となる。
【００１３】
請求項５記載の発明は、請求項１〜４のいずれか一項に記載の照明構造において、例えば図２に示すように、
前記勾配天井５２における前記照明器具７の直上位置には、外部に連通する換気口５３が設けられていることを特徴としている。
【００１４】
請求項５記載の発明によれば、勾配天井５２における照明器具７の直上位置に換気口５３が設けられているので、照明器具７で発生する熱を換気口５３から外部に逃がすことが可能となる。また、スリット６と換気口５３とを連通させることもできるので、第一室内３１の換気も可能となる。
【発明の効果】
【００１５】
本発明によれば、照明器具を勾配天井の上部に取り付けたとしても当該照明器具に対するメンテナンス作業の簡便化を図ることができる。
【図面の簡単な説明】
【００１６】
【図１】本実施形態に係る照明構造を備えた住宅の概略構成を示す断面図である。
【図２】本実施形態に係る第二室内の床部及び勾配天井の位置関係を詳細に示す断面図である。
【図３】本実施形態に係る照明構造を備えた住宅の変形例を示す断面図である。
【図４】本実施形態に係る照明器具の変形例を示す伏図である。
【図５】本実施形態に係る照明器具の変形例を示す伏図である。
【発明を実施するための形態】
【００１７】
以下、図面を参照して本発明の実施の形態について説明する。
図１は本実施形態に係る照明構造１を備えた住宅の概略構成を示す断面図である。
図１に示すように住宅１には、一階部分２と、二階部分３と、ロフト部分４と、屋根５とが備えられている。ロフト部分４は、二階部分３における一室内（以下、第一室内３１と称す。）に配置されている。これにより、ロフト部分４の室内（以下、第二室内４１と称す。）は、第一室内３１に隣接し、なおかつ当該第一室内３１の直上階となるように配置されている。
【００１８】
屋根５には、第一室内３１及び第二室内４１の上方を覆う勾配屋根５１が設けられている。この勾配屋根５１がなす勾配天井５２は、第一室内３１及び第二室内４１に面することになる。勾配天井５２における第二室内４１に面する部分には、外部に連通する換気口５３が形成されている。換気口５３には、当該換気口５３を開閉する窓５４が設けられている。
第二室内４１の床部４２は、第一室内３１側から見る勾配天井５２の頂上部に近接するように配置されている。
【００１９】
図２は、第二室内４１の床部４２及び勾配天井５２の位置関係を詳細に示す断面図である。図２に示すように、床部４２は勾配天井５２とともにスリット６を形成する位置まで延在している。スリット６の内部には、当該スリット６の延在方向（図２における手前から奥方向）に沿って所定の間隔を空けて複数の照明器具７が配置されている。
【００２０】
照明器具７には、光源部７１と、光源部７１を上下方向に案内するガイド部７２とが備えられている。照明器具７の直上位置に換気口５３が配置されている。
光源部７１は、例えばスポットライトなどの点光源を備えている。本実施形態では、光源部７１は、第一室内３１に向けて光を照射するとともに第二室内４１に向けて光を照射するように２つの点光源を備えている。図２では、第一室内３１に向けて照射された光の照射範囲を実線Ａ１で示し、第二室内４１に向けて照射された光の照射範囲を実線Ａ２で示している。
ガイド部７２は、第二室内４１側に向けと凸となる円弧状のガイドレールである。このガイド部７２に沿って光源部７１が昇降するが、昇降経路が円弧状となるため、光源部７１からの光の照射方向が調整されることになる。図２における二点鎖線部は、最も下降した位置にある光源部７１及びその位置からの照射範囲Ａ１，Ａ２を示している。
【００２１】
次に、本実施形態の作用について説明する。
照明器具７のメンテナンス時期になると、作業者は第二室内４１からスリット６内の照明器具７に対してメンテナンスを行う。このとき、必要と感じたら作業者は光源部７１からの光の照射方向が所望の方向となるようにガイド部７２を介して光源部７１の位置を調整する。
【００２２】
以上のように、本実施形態によれば、第一室内３１に隣接し、なおかつ第一室内３１の直上階となる第二室内４１の床部４２と勾配天井５２とにより形成されたスリット６は、第一室内３１から見ると勾配天井５２の頂上部付近となる。勾配天井５２におけるスリット６に近接する位置に照明器具７が配置されているため、第一室内３１から見ると勾配天井５２の上部に照明器具７が配置されることになる。
一方、第二室内４１側から見ると、照明器具７は床部４２に近接した位置に配置されている。このため、第二室内４１側から照明器具７のメンテナンス作業を行うことが可能となり、メンテナンス作業の簡便化を図ることができる。
【００２３】
また、照明器具７がスリット６の内部に配置されているので、第一室内３１側から照明器具７自体を視認しにくくすることができ、視認による光源の特定を困難なものとすることができる。そして、照明器具７の光の色を太陽光と同等にしておけば、太陽光による照明、例えば木漏れ日のような印象をあたえることができる。
また、照明器具７が第一室内３１及び第二室内４１に対して光を照射しているので、１つの照明器具７で第一室内３１及び第二室内４１の照明を可能としている。したがって照明器具７の設置個数を抑制することができる。
【００２４】
また、照明器具７の光の照射方向が調整自在であるので、勾配天井５２に映し出される光のコントラストを調整することができ、様々な雰囲気を演出することが可能となる。
また、勾配天井５２における照明器具７の直上位置に換気口５３が設けられているので、図２中、矢印Ｙ１のように照明器具７で発生する熱を換気口５３から外部に逃がすことが可能となる。また、スリット６と換気口５３とを連通させることもできるので、図２中、矢印Ｙ２のように第一室内３１の換気も可能となる。
【００２５】
なお、本発明は上記実施形態に限らず適宜変更可能である。以下、変形例について説明するが、上記実施形態と同一の部分においては同一の符号を付しその説明を省略する。
【００２６】
例えば、上記実施形態では、ロフト部分４の室内を本発明に係る第二室内４１とした場合を例示して説明したが、第二室内は第一室内に隣接し、なおかつ当該第一室内の直上階となる室内であればよい。具体的には図３に示すように、二階部分３まで吹き抜けた第一室内３１ａであって、当該第一室内３１ａに隣接し、かつ第一室内３１ａの直上階が二階部分３の一室である場合にはその二階部分の一室内が第二室内４１ａとなる。この場合、第二室内４１ａの床部４２ａと、勾配天井５２ａとがなすスリット６ａ内に照明器具７が配置される。また、スリット６ａ内には、床部４２ａの端部から立設する立ち上がり部４４ａが設けられている。この立ち上がり部４４ａによって、床部４２ａから第一室内３１ａに向けて物体が落下することが防止されている。
【００２７】
また、上記実施形態では、スリット６の内部に照明器具７が配置されている場合を例示したが、スリット６に近接した位置であれば如何なる場所に照明器具７を配置してもよい。照明器具７に対するメンテナンス作業を阻害しない範囲であれば、例えばスリット６から第一室内３１側に外れた位置であっても、第二室内４１側に外れた位置であっても構わない。
【００２８】
また、図４に示すように、スリット６の延在方向に沿って所定の間隔を空けて配置された複数の照明器具７の各光源部７１の光量を異ならせておくことも可能である。なお、図４中のグラデーションｇ１，ｇ２，ｇ３は、各光源部７１の光量の違いを模式的に示している。このように各光源部７１の光量が異なっていれば、これらを組み合わせることで様々な照明効果を演出することができる。
また、上記実施形態では、光源部７１の光源として点光源を例示して説明しているが、図５に示すように蛍光灯７２ｂなどの棒状光源を用いることも可能である。棒状光源であれば、１つの光源で第一室内３１及び第二室内４１に光を照射することができる。
【符号の説明】
【００２９】
１      住宅
２      一階部分
３      二階部分
４      ロフト部分
５      屋根
６      スリット
７      照明器具
３１      第一室内
４１      第二室内
４２      床部
５１      勾配屋根
５２      勾配天井
５３      換気口
７１      光源部
７２      ガイド部
【図１】
2014154311.tif 000003
【図２】
2014154311.tif 000004
【図３】
2014154311.tif 000005
【図４】
2014154311.tif 000006
【図５】
2014154311.tif 000007